(57)【要約】【課題】簡便安価の手段によりコンプレッサ等に付設されるクーラの冷却効率を大幅に向上させるクーラの噴霧式補助冷却装置を提供する。【解決手段】コンプレッサ本体１０に付設されるドレン清水化装置１５によりドレンは清水化され、その清水７は水槽６に蓄溜される。この清水７は噴霧供給手段１のポンプ４により吸引されノズル２からクーラ１２とその送風手段１３との間の空間室５内に噴水され噴霧８を形成する。送風手段１３からの送風１４は噴霧８に当り冷却されてクーラ１２側に供給される。これにより、クーラの冷却効率を大幅に向上することができる。【選択図】      図１
2004257609.tif 000002
【特許請求の範囲】
【請求項１】
コンプレッサ等の空気、油、水を使用する装置に付設され空気や油を冷却するためのクーラの冷却効率を向上するための補助冷却装置であって、該補助冷却装置は、前記クーラの送風手段の送風路と前記クーラとの間の空間に噴霧水を送る噴霧供給手段を設けることを特徴とするクーラの噴霧式補助冷却装置。
【請求項２】
前記噴霧供給手段の原水が、前記コンプレッサ等の装置から排出されるドレンを清水化した清水であることを特徴とする請求項１に記載のクーラの噴霧式補助冷却装置。
【請求項３】
前記噴霧供給手段の原水が、前記コンプレッサ等が装置に供給される冷却水であることを特徴とする請求項１に記載のクーラの噴霧式補助冷却装置。
【発明の詳細な説明】
【０００１】
【発明の属する技術分野】
本発明は、コンプレッサ等の空気、油、水を使用する装置に付設されるクーラの補助冷却装置に係り、特に、その冷却効率の向上に効果的で簡便な構造からなるクーラの噴霧式補助冷却装置に関する。
【０００２】
【従来の技術】
図２は、従来一般に採用されているコンプレッサの構成図である。即ち、コンプレッサは、コンプレッサ本体１０と、これを駆動するモータ１１と、レシーバタンク１８及びクーラ１２等とからなる。なお、コンプレッサ本体１０には外気を供給するための空気吸入手段や冷却用の油、水を供給する油水供給手段等が設けられている（図略）。また、クーラ１２にはクーラ１２内に冷却風を送風する送風手段（図略）が付設されている。コンプレッサ本体１０から排出される圧縮空気は、レシーバタンク１８内に送られて気液分離され、空気は供給管１９を介して使用側２０に供給される。一方、分離された油は、戻り管２１よりクーラ１２を介してコンプレッサ本体１０側に戻油されて再使用される。
【０００３】
図３は、図２と同じく従来一般に使用されているコンプレッサの構成図である。このものはクーラ１２が空気冷却用クーラ１２ａと油冷却用クーラ１２ｂとからなる。レシーバタンク１８からの空気は空気冷却用クーラ１２ａを介して使用側２０に送られ、分離された油は排油管２２から油冷却用クーラ１２ｂを介し、戻り管２１からコンプレッサ本体１０側に戻油されて再使用される。なお、この場合、クーラ１２は空気冷却用クーラ１２ａと油冷却用クーラ１２ｂを重合したものからなる。
【０００４】
【発明が解決しようとする課題】
図２，図３に示すクーラ１２は前記したように、これに付設されている図略の送風手段からの送風により冷却されるか又はクーラ内を循環する冷却水により冷却されている。通常はこれ等の冷却手段によりクーラ１２は十分に冷却されているが、コンプレッサの使用負荷やコンプレッサまわりの温度状況や使用継続時間等の要因により、冷却性をより向上したい場合もある。この場合を想定してクーラ１２の冷却手段の容量を増大化させる方法もあるが、装置コスト高となり、好ましくない。
【０００５】
一方、コンプレッサ本体１０にはドレンが発生し、このドレンはコンプレッサ本体１０内から排除する必要がある。このドレンは空気中の湿分と微量な油分を含むものからなり、異物を混在するものからなる。このドレンをそのまま外気側に廃棄することは環境保全の面で禁止されている。そのため、ドレンは廃棄可能な状態にした後に排出される。このためにドレン清水化のための装置が従来よりコンプレッサ本体１０に付設されている。通常、このドレン清水化装置からは大気側に排出可能な清水が形成されるが、この清水はそのまま大気側に排水されるのが一般であった。
【０００６】
本発明は、ドレン清水化装置から排水される清水又はコンプレッサ本体の冷却用として通常使用されている水（水道水）を用いてクーラの冷却効率を向上させる簡便構造のクーラの噴霧式補助冷却装置を提供することを目的とする。
【０００７】
【課題を解決するための手段】
本発明は、以上の目的を達成するために、請求項１の発明は、コンプレッサ等の空気、油、水を使用する装置に付設され空気や油を冷却するためのクーラの冷却効率を向上するための補助冷却装置であって、該補助冷却装置は、前記クーラの送風手段の送風路と前記クーラとの間の空間に噴霧水を送る噴霧供給手段を設けることを特徴とする。噴霧水をクーラの冷却側に供給し、これを送風でクーラ側に送ることにより、送風の冷却温度が下がり、クーラの冷却効率を大幅に向上することができる。
【０００８】
また、請求項２の発明は、前記噴霧供給手段の原水が、前記コンプレッサ等の装置から排出されるドレンを清水化した清水であることを特徴とする。従来、そのまま大気側に捨てられていた清水をクーラ冷却用の噴霧水として利用するため、清水の有効利用ができる。
【０００９】
また、請求項３の発明は、前記噴霧供給手段の原水が、前記コンプレッサ等の装置に供給される冷却水であることを特徴とする。水道水等の水は本体コンプレッサに使用されているものであり、この一部を噴霧水に利用するだけでクーラの冷却効率の向上が図れる。これにより、特別の冷却手段用の原水を用いる必要がなく、装置構造の簡便化が図れる。
【００１０】
【発明の実施の形態】
以下、本発明のクーラの噴霧式補助冷却装置の実施の形態を図面を参照して詳述する。図１は本発明のクーラの噴霧式補助冷却装置の全体構成を示す構成図である。クーラの噴霧式補助冷却装置１（以下、単に補助冷却装置１という）は、噴霧供給手段１からなり、この噴霧供給手段１はノズル２と、パイプ３でノズル２に連結されるポンプ４等とからなる。クーラ１２には送風手段１３が付設されこの送風手段１３とクーラ１２との間には空間室５が形成されている。なお、送風手段１３からの送風１４は空間室５を通りクーラ１２の冷却面に送られる。
【００１１】
噴霧供給手段１のノズルには空気室５の一端側に固定され、そのノズル先端は空気室５内を向いて配置される。また、ポンプ４は水槽６に連結され、水槽２内には清水７が蓄溜している。
【００１２】
コンプレッサ１０から廃棄されたドレンはドレン清水化装置１５により清水化され、その清水は前記の水槽６内に供給される。ドレン清水化装置１５としては種々の型式のものがあるが、例えば、複数のタンク群１６を設け、このタンク群１６内に種々の型式のフィルタやブリーザ１７等を設けて、ドレンを通過させて最終に大気化へ廃棄可能の清水６を形成するものが挙げられる。
【００１３】
水槽６内の清水７は、ポンプ４により吸引され、パイプ３からノズル２に送られ、ノズル２のノズル先端から空気室５内に噴出され噴霧８を形成する。この噴霧８には、前記のように送風手段１３からの送風１４が当り、送風は噴霧８により冷却され、低温化される。これにより、クーラ１２は従来の送風１４のみの場合よりも強力に冷却され、冷却効率を向上することができる。なお、噴霧８は気化熱によりほとんどすべてが蒸発されるが、空気室５内に万一残留したものが生じた場合は排水管９から排出される。この排水は勿論清水のため大気側への廃棄は可能である。また、図１に示すように送風手段１３を駆動するモータ１１はコンプレッサ本体１０を駆動するモータ１１と共通のものを用いてもよくこれにより、駆動源のコンパクト化が図れる。また、前記のように、本発明の噴霧供給手段１はポンプ４とノズル２等とからなり、極めて簡便構造のものからなり、比較的安価に実施することができる。
【００１４】
以上の説明では噴霧供給装置１に供給される原水を清水７としたが、水冷式のコンプレッサにはもともと水道水のような水が冷却水として使用されているため、原水としてこの水道水を用いてもよい。即ち、コンプレッサ本体１０に供給される水道水をバイパス管（図略）を用いてポンプ４側に連結することにより、前記と同様に空気室５内に廃棄可能な噴霧８を供給することができる。
【００１５】
図１の噴霧供給手段１ではノズル２は単一のものが用いられているが、勿論、複数個配置してもよい。また、原水７や水道水は特別冷却したものでなくてもよいが、これを冷却することにより、クーラ１２の冷却効率を更に一層向上させることができる。
【００１６】
【発明の効果】
１）本発明の請求項１のクーラの噴霧式補助冷却装置によれば、クーラの送風通路内に噴霧を介設する比較的簡便な手段によりクーラの冷却効率を大幅に向上することができる。
２）本発明の請求項２のクーラの噴霧式補助冷却装置によれば、噴霧供給手段装置の原水をコンプレッサ等から排出されるドレンを清水化した清水を用いることにより、清水の有効利用ができ、装置コストの低減化が図れる。
３）本発明の請求項３のクーラの噴霧式補助冷却装置によれば、噴霧供給手段の原水をコンプレッサにもともと使用している水道水のような水を用いることができ、装置コストの低減化が図れる。
【図面の簡単な説明】
【図１】本発明のクーラの噴霧式補助冷却装置の全体構造を示す構成図。
【図２】従来一般に使用されているコンプレッサの全体概要構造を示す構成図。
【図３】従来一般に使用されている気液冷却用の２種構造のクーラを有するコンプレッサの全体構造を示す構成図。
【符号の説明】
１      噴霧供給手段
２      ノズル
３      パイプ
４      ポンプ
５      空間室
６      水槽
７      清水
８      噴霧
９      排出管
１０    コンプレッサ本体
１１    モータ
１２    クーラ
１２ａ  空気冷却用クーラ
１２ｂ  油冷却用クーラ
１３    送風手段
１４    送風
１５    ドレン清水化装置
１６    タンク群
１７    フィルタやブリーザ
【図１】
2004257609.tif 000003
【図２】
2004257609.tif 000004
【図３】
2004257609.tif 000005